(57)【要約】【課題】２つ以上の無線システムの無線信号を中継するマルチシステム対応無線中継装置において、それぞれの無線システムから到来する下り回線信号の電力レベルが著しく異なる場合でも、いずれの無線システムからの下り回線信号の品質を劣化させることなく中継伝送する。【解決手段】低雑音増幅器５の前段に設けた複数の帯域制限フィルタ１と、ＡＴＴ部２と、ドナーアンテナ１１より受信した各無線基地局からの下り受信信号の経路選択をするスイッチ部３およびスイッチ部４と、無線基地局毎の中継増幅部８と、無線基地局毎の受信電力レベルを検出する受信電力検出部９と、受信電力レベルを調整するためのスイッチ３およびスイッチ４の経路選択をする制御部６と、から構成され、強入力信号となる無線基地局からの受信電力のみ調整する。【選択図】図２
2014222845.tif 000002
【特許請求の範囲】
【請求項１】
第１の無線通信システムの第１の下り無線信号と第２の無線通信システムの第２の下り無線信号とを中継する無線中継装置であって、
ドナーアンテナに接続された第１のスイッチと第２のスイッチとの間に設けられた前記第１の下り信号用の第１のフィルタと前記第２の下り信号用の第２のフィルタと第１のカプラと、
前記第２のスイッチに接続された第１の低雑音増幅器と、
前記第１のカプラに接続された第２の低雑音増幅器と、
前記第１の低雑音増幅器に接続された第２のカプラと、
前記第２の低雑音増幅器に接続された第３のカプラと、
前記第２のカプラの第１の出力と前記第３のカプラの第３の出力とに接続され、一方を選択する第３のスイッチと、
前記第２のカプラの第２の出力と前記第３のカプラの第４の出力とに接続され、一方を選択する第４のスイッチと、
前記第３のスイッチに接続された前記第１の下り信号用の第１の中継増幅部と、
前記第４のスイッチに接続された前記第２の下り信号用の第２の中継増幅部と、
前記第１の中継増幅部の受信電力を検出する第１の受信電力検出部と、
前記第２の中継増幅部の受信電力を検出する第２の受信電力検出部と、
前記第１の中継増幅部の出力と前記第２の中継増幅部の出力とを合成する合成器と、
前記合成器に接続されたサービスアンテナと、
前記第１の受信電力検出部と前記第２の受信電力検出部とに接続され、前記第１のスイッチと前記第２のスイッチと前記第３のスイッチと前記第４のスイッチとを制御する制御部と、
を備え、
前記制御部は、前記第１の受信電力検出部と前記第２の受信電力検出部とが検出した受信電力に基づいて、強入力信号の受信電力を調整することを特徴とする無線中継装置。
【請求項２】
請求項１に記載の無線中継装置であって、
前記ドナーアンテナと前記サービスアンテナとは、異なる場所に設置することを特徴とする無線中継装置。
【請求項３】
請求項１に記載の無線中継装置であって、
前記第１の中継増幅部および前記第２の中継増幅部は、前記ドナーアンテナと前記サービスアンテナ間のアイソレーションを確保する干渉キャンセラを備えることを特徴とする無線中継装置。
【請求項４】
第１の無線通信システムの第１の下り無線信号と第２の無線通信システムの第２の下り無線信号とを中継する無線中継装置における無線中継方法であって、
前記無線中継装置は、ドナーアンテナに接続された第１のスイッチと第２のスイッチとの間に設けられた前記第１の下り信号用の第１のフィルタと前記第２の下り信号用の第２のフィルタと第１のカプラと、前記第２のスイッチに接続された第１の低雑音増幅器と、前記第１のカプラに接続された第２の低雑音増幅器と、前記第１の低雑音増幅器に接続された第２のカプラと、前記第２の低雑音増幅器に接続された第３のカプラと、前記第２のカプラの第１の出力と前記第３のカプラの第３の出力とに接続され、一方を選択する第３のスイッチと、前記第２のカプラの第２の出力と前記第３のカプラの第４の出力とに接続され、一方を選択する第４のスイッチと、前記第３のスイッチに接続された前記第１の下り信号用の第１の中継増幅部と、前記第４のスイッチに接続された前記第２の下り信号用の第２の中継増幅部と、前記第１の中継増幅部の受信電力を検出する第１の受信電力検出部と、前記第２の中継増幅部の受信電力を検出する第２の受信電力検出部と、前記第１の中継増幅部の出力と前記第２の中継増幅部の出力とを合成する合成器と、前記合成器に接続されたサービスアンテナと、前記第１の受信電力検出部と前記第２の受信電力検出部とに接続され、前記第１のスイッチと前記第２のスイッチと前記第３のスイッチと前記第４のスイッチとを制御する制御部と、を備え、
前記制御部は、前記第１の受信電力検出部と前記第２の受信電力検出部とが検出した受信電力に基づいて、強入力信号の受信電力を調整することを特徴とする無線中継方法。
【発明の詳細な説明】
【技術分野】
【０００１】
本発明は無線中継装置および無線中継方法に係り、特に２つ以上の無線システムに対応した無線中継装置および無線中継方法に関する。
【背景技術】
【０００２】
無線システムのエリア構築をする上で、無線中継装置は、迅速なエリア拡大や品質向上施策の一つとして数多く導入されている。なかでも、設置スペースの問題、アンテナ共用による運用コスト低減を目的とした、マルチシステム対応無線中継装置は、複数の無線システム（具体的には、１ｘ、ＥＶＤＯ、ＬＴＥ、Ｗｉｍａｘ（登録商標）等）が共存する昨今のネットワークにおいて、経済面、設置条件面、共に有効な装置である。
【０００３】
一般的に無線中継装置は、エリア境界対策と不感地帯対策を主な役割とし、弱電界領域で運用されることが多い。しかし、エリア構築が円熟してきたネットワーク下においては、干渉による信号品質（Ｃ／Ｎ：Carrier to Noise Ratio）の改善として強電界下で利用されるケースも少なくない。
【０００４】
マルチシステム対応無線中継装置がサポートする無線基地局に関しても、設置環境・設置条件によっては、一方の無線基地局からの受信電力が微弱にもかかわらず、もう一方の無線基地局からの受信電力レベルが装置の入力電力レンジ上限付近となるような強入力のケースも多くある。
【０００５】
そのため、設置の段階において、一方の強入力信号に対してはフェージング等の影響によって過入力とならないよう調整しつつ、もう一方の微弱な入力信号に対して、少しでも安定した高いレベルで受信できるように調整しなければならない。
【０００６】
調整方法の一つとして、特許文献１がある。特許文献１には、中継装置および基地局で構成されている無線通信システムにおいて、新規に設置された基地局の稼働開始にあたって、中継装置の通信を維持できるように、自律的にパラメータ調整を行うことが記載されている。
【０００７】
新規に設置された無線基地局の送信出力レベルと既存無線基地局の送信出力レベルとを中継装置側で検出し、中継装置との通信が維持可能な最小送信出力まで既存基地局の送信出力を下げ、最小送信出力を送信出力とする様、無線基地局側の送信出力のパラメータを調整する方法の一つである。しかし、実際の無線基地局のエリア構築上、無線基地局側の調整を容易に実施できない場合もあり、その際は、無線中継装置側のアンテナ工事調整（具体的には、偏波面整合、設置チルト角調整または減衰器の挿入）が発生する。
【先行技術文献】
【特許文献】
【０００８】
【特許文献１】特開２０１１−２３４０５２号公報
【発明の概要】
【発明が解決しようとする課題】
【０００９】
マルチシステム対応無線中継装置に対する工事調整作業は、サポートする無線基地局からの下り回線信号すべてを中継できるレベルに調整する、いわば、強入力信号と弱入力信号のトレードオフ調整になるため、施工時間が大幅に延伸してしまう。また、マルチシステム対応無線中継装置の運用状況次第では、調整作業に伴い、既に運用開始されている無線基地局の中継伝送に対して、一時的な中断を余儀なくされる。
【課題を解決するための手段】
【００１０】
上述した課題は、第１の無線通信システムの第１の下り無線信号と第２の無線通信システムの第２の下り無線信号とを中継する無線中継装置であって、ドナーアンテナに接続された第１のスイッチと第２のスイッチとの間に設けられた第１の下り信号用の第１のフィルタと第２の下り信号用の第２のフィルタと第１のカプラと、第２のスイッチに接続された第１の低雑音増幅器と、第１のカプラに接続された第２の低雑音増幅器と、第１の低雑音増幅器に接続された第２のカプラと、第２の低雑音増幅器に接続された第３のカプラと、第２のカプラの第１の出力と第３のカプラの第３の出力とに接続され、一方を選択する第３のスイッチと、第２のカプラの第２の出力と第３のカプラの第４の出力とに接続され、一方を選択する第４のスイッチと、第３のスイッチに接続された第１の下り信号用の第１の中継増幅部と、第４のスイッチに接続された第２の下り信号用の第２の中継増幅部と、第１の中継増幅部の受信電力を検出する第１の受信電力検出部と、第２の中継増幅部の受信電力を検出する第２の受信電力検出部と、第１の中継増幅部の出力と第２の中継増幅部の出力とを合成する合成器と、合成器に接続されたサービスアンテナと、第１の受信電力検出部と第２の受信電力検出部とに接続され、第１のスイッチと第２のスイッチと第３のスイッチと第４のスイッチとを制御する制御部と、を備え、制御部は、第１の受信電力検出部と第２の受信電力検出部とが検出した受信電力に基づいて、強入力信号の受信電力を調整する無線中継装置により、達成できる。
【００１１】
また、第１の無線通信システムの第１の下り無線信号と第２の無線通信システムの第２の下り無線信号とを中継する無線中継装置における無線中継方法であって、無線中継装置は、ドナーアンテナに接続された第１のスイッチと第２のスイッチとの間に設けられた第１の下り信号用の第１のフィルタと第２の下り信号用の第２のフィルタと第１のカプラと、第２のスイッチに接続された第１の低雑音増幅器と、第１のカプラに接続された第２の低雑音増幅器と、第１の低雑音増幅器に接続された第２のカプラと、第２の低雑音増幅器に接続された第３のカプラと、第２のカプラの第１の出力と第３のカプラの第３の出力とに接続され、一方を選択する第３のスイッチと、第２のカプラの第２の出力と第３のカプラの第４の出力とに接続され、一方を選択する第４のスイッチと、第３のスイッチに接続された第１の下り信号用の第１の中継増幅部と、第４のスイッチに接続された第２の下り信号用の第２の中継増幅部と、第１の中継増幅部の受信電力を検出する第１の受信電力検出部と、第２の中継増幅部の受信電力を検出する第２の受信電力検出部と、第１の中継増幅部の出力と第２の中継増幅部の出力とを合成する合成器と、合成器に接続されたサービスアンテナと、第１の受信電力検出部と第２の受信電力検出部とに接続され、第１のスイッチと第２のスイッチと第３のスイッチと第４のスイッチとを制御する制御部と、を備え、制御部は、第１の受信電力検出部と第２の受信電力検出部とが検出した受信電力に基づいて、強入力信号の受信電力を調整する無線中継方法により、達成できる。
【発明の効果】
【００１２】
２つ以上の無線基地局の無線信号を中継するマルチシステム対応無線中継装置において、それぞれの無線基地局から到来する下り回線信号の電力レベルが著しく異なり、一方が装置の入力上限範囲を超えるような場合においても、無線基地局側の送出電力の調整や、マルチシステム対応無線中継装置のアンテナ工事調整作業を生じさせることなく、自動的に受信レベル調整し、運用できる。
【図面の簡単な説明】
【００１３】
【図１】複数の無線基地局からの信号干渉による信号品質低下の改善施策として、マルチシステム対応無線中継装置を適用した無線システムのブロック図である。
【図２】マルチシステム対応無線中継装置の基本的な動作原理を説明するブロック図である。
【図３】２種類の無線基地局とマルチシステム対応無線中継装置とで構築される無線システムのブロック図である。
【図４】２種類の無線基地局に対応した無線中継装置のブロック図である。
【図５】制御部のスイッチ部制御テーブルである。
【図６】制御部の処理を説明する制御フローチャートである。
【図７】一方の無線基地局からの到来電力レベルが装置の入力電力レンジ上限付近となる強入力、もう一方が弱電力となる条件下での、制御部６の制御により得られる各ブロックの入力スペクトラムである。
【図８】２つの無線基地局からの到来電力レベルがいずれも装置の入力電力レンジ上限付近となる強入力、となる条件下での、制御部６の制御により得られる各ブロックの入力スペクトラムである。
【図９】２つの無線基地局からの到来電力レベルが装置の入力電力レンジ下限付近となる弱電力、となる条件下での、制御部６の制御により得られる各ブロックの入力スペクトラムである。
【発明を実施するための形態】
【００１４】
以下、本発明の実施の形態について、図面を参照しながら詳細に説明する。
なお、本実施例では、無線基地局Ａが構成する無線ネットワークにおいて、周辺無線基地局からの電波に対する干渉対策としてマルチシステム対応無線中継装置を導入し、その後、同エリアに対しオーバレイする形で、新たな無線基地局Ｂの構成する無線ネットワークが構築される、２つの異なる無線基地局からの下り回線信号を中継するケースを説明する。
【００１５】
図１を参照して、無線通信ネットワークのエリア構築を説明する。図１において、無線通信ネットワーク５００は、基地局２００と、マルチシステム対応無線中継装置１００と、端末３００とで構成されている。基地局２００は、右下から順に基地局２００−１、基地局２００−２、基地局２００−３、基地局２００−４が配置されている。基地局２００の周囲にはエリア２１０が存在する。図１に示すように、エリアが円熟してきた無線ネットワーク５００において、エリア境界において複数の無線基地局２００−１〜２００−４からの送信出力が重なり合う場所が存在する。この場所にある端末３００から見ると、受信電力レベルこそ高いが、端末として所望Ｃ／Ｎを得ることができずデッドスポットとなる。本来期待される無線基地局２００−１（以下、無線基地局Ａとする）からの下り回線信号をマルチシステム対応無線中継装置１００が増幅し、スポット的に照射することでエリアの品質改善を行う。このとき、マルチシステム対応無線中継装置１００におけるドナーアンテナへの入力レベルは、設置場所の兼ね合いから極めて高入力な条件となることがある。
【００１６】
図２を参照して、ｎシステム対応無線中継装置の構成を説明する。図２において、ｎシステム対応無線中継装置１００Ａは、ドナーアンテナ１１と、スイッチ部３と、帯域制限フィルタ１と、減衰器（ＡＴＴ部）２と、スイッチ部４と、低雑音増幅器５と、分配器７と、中継増幅部８と、受信電力検出部９と、合波器１０と、サービスアンテナ１１と、制御部６とから、構成されている。帯域制限フィルタ１は、２↑ｎ式（↑は、べき乗を意味する）備える。また、中継増幅部８と受信電力検出部９は、それぞれｎ式備える。
【００１７】
スイッチ部３およびスイッチ部４は、ドナーアンテナ１１より受信した各無線基地局からの下り受信信号の経路選択をする。すなわち、スイッチ部３およびスイッチ部４は、下り受信信号を帯域制限フィルタ１のいずれか、ＡＴＴ部２またはスルーかを制御部６の制御により選択する。低雑音増幅器５は、スイッチ部４からの下り受信信号を増幅する。
【００１８】
分配器７は、低雑音増幅器５で増幅された下り回線信号を無線基地局ごとに独立した中継増幅部８に分配する。中継増幅部８は、下り回線信号を増幅する。受信電力検出部９は、中継増幅部８を監視して、受信電力を制御部６に送信する。合成器１０は、中継増幅部８が増幅した下り回線信号を合成して、サービスアンテナ１２から送出する。
【００１９】
スイッチ部３およびスイッチ部４は、ドナーアンテナ１１より受信した各無線基地局からの下り受信信号の経路選択をする。各中継増幅部８において、受信電力検出部９は、無線基地局毎の受信電力レベルを検出する。受信電力検出部９で検出された受信電力レベルを調整するため、制御部６は、スイッチ３および４の経路選択をする。ｎシステム対応無線中継装置１００Ａは、弱入力信号となる無線基地局からの受信電力レベルを減衰させることなく、強入力信号となる無線基地局からの受信電力のみ調整する。
【００２０】
また、スイッチ部３およびスイッチ部４の切り替え制御を行う制御部６は、中継すべき受信電力レベルが無線基地局毎に著しく異なり、無線基地局の送信電力の調整や無線中継装置側の工事調整作業を必要とする場合においても、一切の外部調整を必要とせず、受信電力検出部９で検出された無線基地局毎の受信電力レベルを元に、無線中継装置内で調整する。
【００２１】
以上のような構成において、ドナーアンテナ１１より受信した下り回線信号は、スイッチ部３およびスイッチ部４の間のいずれかの選択経路を通過し、低雑音増幅部５で増幅処理される。低雑音増幅器５で増幅された下り回線信号は、分配器７で分配され、無線基地局毎に独立した中継増幅部８でそれぞれ個別に所望利得を得た後、サービスアンテナ１２より送出される。
【００２２】
こうした下り受信信号の流れに対して、制御部６の制御信号の流れは次のようになる。先ず、ドナーアンテナ１１より受信した下り回線信号に対して、制御部６は、無線基地局の受信電力検出部９での電力検出レベルや有無によらず、すべての無線基地局の中継伝送を有効とするために、低雑音増幅器５の前段の損失が最も少ない経路を選択する。その後、制御部６は、受信電力検出部９において測定された無線基地局毎の下り受信信号レベルと、制御部６で持つ受信信号判定閾値とを比較し、フェージング等の影響含めて過入力と判定された無線基地局からの下り回線信号を調整すべく、当該受信信号の信号帯域を減衰帯域とする帯域制限フィルタを設けられた経路に切り替える制御を実施する。
【００２３】
これにより、弱入力信号となる無線基地局からの下り回線信号は、受信電力レベルを減衰させることなく、強入力信号となる無線基地局からの下り回線信号のみ過入力の調整ができる。また、受信電力検出部９において測定された無線基地局毎の下り回線信号レベル全てが、装置の入力範囲上限付近の過入力レベルであると判定された場合においては、ＡＴＴ部２を設けた経路に切り替えることで、ドナーアンテナ１１とマルチシステム対応無線中継装置の間にアッテネータを挿入する工事調整と同等の対処も可能とする。判定閾値レベルや検出周期は、無線システム毎に制御部６で任意に設定できる。
【００２４】
図２におけるｎシステム対応無線中継装置１００Ａの受信特性を左右する低雑音増幅部５の前段の電力損失は、対応する無線基地局数毎に入力電力の調整を可能としながらも、無線基地局数毎（ｎ）分の分配損失（１０＊ｌｏｇ（ｎ）［ｄＢ］）とすることなく、スイッチ部３、４と帯域制限フィルタの損失のみで決定できる。また、特に重要となる弱入力信号となる無線基地局に対しては、制御部６の調整によって、ほぼスイッチ部３、４の挿入損失のみ（スイッチの挿入損失＜＜分配損失（１０＊ｌｏｇ（ｎ）［ｄＢ］））とすることができる。
【００２５】
なお、マルチシステム対応無線中継装置１００Ａの運用・設置形態としては、ドナーアンテナ１１とサービスアンテナ１２を、アンテナ間アイソレーション確保の為に異なる場所に設置する形態（Distributed Antenna System）、ドナーアンテナ１１とサービスアンテナ１２を同一箇所に設置し、アンテナ間アイソレーションを確保する干渉キャンセラ機能を中継増幅部８に搭載する形態（Interference Cancellation System）等がある。マルチシステム対応無線中継装置１００Ａは、如何なる設置形態に対しても適用可能である。
【００２６】
図３を参照して、無線通信システムの増加を説明する。図３（ａ）は増加前の無線通信システム５００である。無線通信システム５００は、基地局２００（以下、基地局Ａ）と、マルチシステム対応無線中継装置１００と、端末３００とから構成されている。マルチシステム対応無線中継装置１００は、１つの無線通信システムの基地局Ａの無線電波のみエリア２１０に存在する端末３００に中継している。
【００２７】
一方、図３（ｂ）は増加後の無線通信システム５００Ａである。無線通信システム５００Ａは、基地局Ａと、基地局４００（以下、無線基地局Ｂ）と、マルチシステム対応無線中継装置１００と、端末３００とから構成されている。マルチシステム対応無線中継装置１００は、互いに異なる無線通信システムの基地局Ａと、基地局Ｂの無線電波を互いに重なり合ったエリア２１０、４１０に存在する端末３００に中継している。
【００２８】
マルチシステム対応無線中継装置１００におけるドナーアンテナへの入力レベルは、設置場所の兼ね合いから極めて高入力な条件下で、図３（ｂ）に示すように、後から導入される無線基地局Ｂからの下り回線信号が２６０−１のように微弱であったとしよう。この場合、先にサービスを開始した基地局Ａの工事調整の再実施が必要となる。
【００２９】
この一連の調整を装置内で自律的に行う互いに異なるシステムの２つの無線基地局に対応したマルチシステム対応無線中継装置を以下説明する。すなわち、このマルチシステム対応無線中継装置１００は、図３（ｂ）の受信回線信号が２６０−１の状態でも、送信回線信号を２６０−２の状態とする。
【００３０】
図４を参照して、２つの無線基地局に対応した無線中継装置の構成を説明する。図４において、マルチシステム対応無線中継装置１００は、ドナーアンテナ１１と、スイッチ部３と、バンドパスフィルタ（ＢＰＦ）１と、カップラ１３と、スイッチ部４と、低雑音増幅器５と、カップラ１４と、スイッチ部１５と、中継増幅部８と、電力検出部９と、合波器１０と、サービスアンテナ１２とから構成されている。
【００３１】
ＢＰＦ１は、２つの無線基地局からの下り回線信号の信号帯域に対応するバンドパス特性を有する。カップラ１３は、受信信号について、９０：１０に分岐する。スイッチ部３およびスイッチ部４は、ドナーアンテナ１１より受信した各無線基地局からの下り受信信号の経路選択をする。低雑音増幅器５−１は、スイッチ部４の出力を増幅する。低雑音増幅器５−２は、カップラ１３の１０％ポートの出力を増幅する。カップラ１４−１〜１４−２は、低雑音増幅器５の出力を分岐して、スイッチ部１５のポートに接続する。スイッチ部１５−１〜１５−２は、２つ入力ポートの一方を選択して、出力ポートから中継増幅部８に接続する。中継増幅部８−１は、基地局Ａ用の中継増幅部である。一方、中継増幅部８−２は、基地局Ａ用の中継増幅部である。受信電力検出部９−１〜９−２は、各中継増幅部８−１〜８−２において無線基地局毎の受信電力レベルを検出する。制御部６は、各受信電力検出部９で検出された受信電力レベルを調整するためのスイッチ３および４の経路選択をする。なお、スイッチ部３、４、１５につけた１〜３または１および２の番号は、ポート番号である。
【００３２】
以上のような構成において、ドナーアンテナ１１より受信した無線基地局Ａからの下り回線信号は、制御部６で選択された経路を通過し、中継増幅部８−１で所望利得を得た後、サービスアンテナ１２より送出される。同様に、ドナーアンテナ１１より受信した無線基地局Ｂからの下り回線信号は、制御部６で選択された経路を通過し、中継増幅部８−２で所望利得を得た後、サービスアンテナ１２より送出される。
【００３３】
この制御部６の制御について、図５に示すスイッチ部制御テーブルと図６に示す制御フローを以下説明する。
【００３４】
図５において、スイッチ部制御テーブル６０は、条件６１と、スイッチ部選択ポート６２とから構成されている。条件６１は、（Ｉ）無線基地局Ａ：強入力、無線基地局Ｂ：弱入力、（ＩＩ）無線基地局Ａ：弱入力：無線基地局Ｂ：強入力、（ＩＩＩ）無線基地局Ａ：強入力、無線基地局Ｂ：強入力、（ＩＶ）無線基地局Ａ：弱入力、無線基地局Ｂ：弱入力である。
【００３５】
スイッチ部選択ポート６２は、（Ｉ）スイッチ部３、４：２、スイッチ部１５−１：２、スイッチ部１５−２：１である。（ＩＩ）スイッチ部３、４：１、スイッチ部１５−１：１、スイッチ部１５−２：２である。（ＩＩＩ）スイッチ部３、４：３、スイッチ部１５−１：２、スイッチ部１５−２：２である。（ＩＶ）スイッチ部３、４：３、スイッチ部１５−１：１、スイッチ部１５−２：１である。
【００３６】
制御部６は、各無線基地局毎の受信電力レベルの測定結果を、判定閾値と比較判定し、スイッチ部制御テーブルにある（Ｉ）〜（ＩＶ）のいずれのスイッチ経路に切替設定すべきか決定する。無線基地局Ａからの入力が強入力レベルであり、無線基地局Ｂからの入力が無い図３のケースでは、（Ｉ）である。したがって、制御部６は、スイッチ部３、４の選択ポートには無線基地局Ｂの下り回線信号の信号帯域を通過帯域とするポート２を選択する。このとき、スイッチ部３に入力される無線基地局Ａからの下り回線信号は、一定のアイソレーションロスにて他の選択されていないポート（１、３）にも出力される特性がある。マルチシステム対応無線中継装置１００は、この特性を利用し、無線基地局Ａの信号をカップラ１３で分岐抽出する。
【００３７】
図６において、制御部６は、無線基地局ごとの受信電力レベルを測定する（Ｓ１１）。制御部６は、受信電力レベルを判定する（Ｓ１２）。ステップ１２において、受信電力レベル＞＝判定閾値のとき、制御部６は、強入力と判定する。一方、受信電力レベル＜判定閾値のとき、制御部６は、弱入力と判定する。制御部６は、スイッチ切替を設定して（Ｓ１３）、ステップ１１に遷移する。ステップ１３において、制御部６は、各無線基地局毎の受信電力レベルの測定結果を制御部６で管理する判定閾値と比較判定し、スイッチ部制御テーブル６０にある（Ｉ）〜（ＩＶ）のいずれのスイッチ経路に切替設定すべきか決定する。
【００３８】
バンドバスフィルタを含む帯域制限フィルタの減衰帯域の利得平坦度は、減衰特性・周波数帯域によって大きく異なる。この減衰帯域の利得偏差が大きく、これに起因した下り受信信号の品質劣化が端末の受信特性に影響を及ぼす場合には、図４に示したカップラ１３で分岐抽出した信号を、低雑音増幅器５の後段に設けたカップラ１４−１〜１４−２とスイッチ部１５−１〜１５−２を用いて、制御部６で切替えることが可能である。
【００３９】
図７を参照して、無線基地局からの下り回線信号に対して、制御部６によるスイッチ部制御が実施された結果得られる各ブロックでの簡易入力スペクトラムを説明する。なお、スペクトラムの縦軸は、Ｐｏｗｅｒであるが、任意単位なので互いに比較できない。
【００４０】
図７において、図５の（Ｉ）条件のとき（無線基地局Ａ：強入力、無線基地局Ｂ：弱入力）、制御部６は、無線基地局Ｂ用のＢＰＦ１−２を選択する。低雑音増幅器５−１の入力において、信号Ａには、利得偏差が表れている。低雑音増幅器５−１の出力は、中継増幅部８−２の入力である。
【００４１】
低雑音増幅器５−２の入力は、選択されていないポート３に出力され、カプラ１３で分岐された信号である。したがって、信号Ａには、利得偏差が表れていない。低雑音増幅器５−２の出力は、中継増幅部８−１の入力である。
【００４２】
これにより、弱電力信号の無線基地局Ｂの下り回線信号が到来した場合においても、無線基地局Ａおよび無線基地局Ｂの送信出力の調整ならびに無線中継装置の外部調整を発生することなく対応できる。
【００４３】
逆に、無線基地局Ａの下り回線信号が弱入力で、無線基地局Ｂの下り回線信号が強入力となる場合（（ＩＩ）条件）においても、図７において信号レベルをＡとＢとで互いに入れ替えて考えれば、同様の制御である。すなわち、制御部６は、無線基地局Ａ用のＢＰＦ１−１を選択する。低雑音増幅器５−１の入力において、信号Ｂには、利得偏差が表れる。低雑音増幅器５−１の出力は、中継増幅部８−１の入力である。
【００４４】
低雑音増幅器５−２の入力は、選択されていないポート３に出力され、カプラ１３で分岐された信号である。したがって、信号Ｂには、利得偏差が表れていない。低雑音増幅器５−２の出力は、中継増幅部８−２の入力である。
【００４５】
図８を参照して、無線基地局Ａおよび無線基地局Ｂからの下り回線信号がいずれも強入力となるケースにおける各ブロックでの簡易入力スペクトラムを説明する。図８において、図５の（ＩＩＩ）条件のとき（無線基地局Ａ：強入力、無線基地局Ｂ：強入力）、制御部６は、スイッチ部３および４のポートは”３”の帯域制限フィルタの無いバイパスルートを選択する。これにより、図８に示すように、低雑音増幅器５−１ではスイッチ損失分×９０％だけ減衰した入力信号レベル、低雑音増幅器５−２では、更にカップラ１３で１０％に減衰された入力信号レベルを得ることができる。スイッチ部１５−１と１５−２にて、ポート”２”を選択することにより、ドナーアンテナ１１に入力される２つの無線基地局からの到来信号に対して一律の信号減衰を行うことができる。
【００４６】
図９を参照して、無線基地局Ａおよび無線基地局Ｂからの下り回線信号がいずれも弱入力となるケースにおける各ブロックでの簡易入力スペクトラムを説明する。図９において、図５の（ＩＶ）条件のとき（無線基地局Ａ：弱入力、無線基地局Ｂ：弱入力）、制御部６は、スイッチ部３および４のポートは”３”の帯域制限フィルタの無いバイパスルートを選択する。これにより、図８に示した強入力時のケースと同様に、低雑音増幅器５−１ではスイッチ損失分×９０％だけ減衰した入力信号レベル、低雑音増幅器５−２では、更にカップラ１３で１０％に減衰された入力信号レベルを得ることができる。スイッチ部１５−１と１５−２にて、ポート”１”を選択することにより、ドナーアンテナ１１に入力される無線基地局からの到来信号に対してスイッチ損失分×９０％だけ減衰した入力信号レベルを得ることができる。
【００４７】
無線基地局からの下り回線信号が、電波環境の変化や無線基地局の増減等々により変化するような場合においても、図５の制御フローを周期的に実施し続けることで、柔軟に対応することができる。
【００４８】
上述した実施例では、マルチシステム対応無線中継装置が対応する無線基地局を２つの無線基地局としている。しかし、対応する無線基地局数が２つに限定されるものではなく、もっと多くの数の無線基地局に対応した無線中継装置に対しても適用可能である。
【符号の説明】
【００４９】
１…帯域制限フィルタ、２…ＡＴＴ部、３…スイッチ部、４…スイッチ部、５…低雑音増幅器、６…制御部、７…分配器、８…中継増幅部、９…受信電力検出部、１０…合成器、１１…ドナーアンテナ、１２…サービスアンテナ、１３…カップラ、１４…カップラ、１５…スイッチ部、１００…マルチシステム対応無線中継装置、２００…無線基地局、３００…端末、４００…無線基地局、５００…無線システム。
【図１】
2014222845.tif 000003
【図２】
2014222845.tif 000004
【図３】
2014222845.tif 000005
【図４】
2014222845.tif 000006
【図５】
2014222845.tif 000007
【図６】
2014222845.tif 000008
【図７】
2014222845.tif 000009
【図８】
2014222845.tif 000010
【図９】
2014222845.tif 000011